(57)【要約】【課題】  猫特有の餌の食べ方に際しても、周囲に餌をこぼすことなく容易に餌を食べることができる。【解決手段】皿状の収容空間を有する本体部２と、本体部２の上端周縁から外方に延設された段部３と、から構成される。そして、本体部２は、水平な底面５１を有する底壁５と、該底壁５の先端周縁から上方に延設され、底壁５の底面５１と鈍角をなしてなめらかに連続する平坦な傾斜周面６１を有する周壁６と、から形成されている。また、段部３は、本体部２における周壁６の上端周縁から外方に延設され、周壁６の傾斜周面６１になめらかに連続する平坦な傾斜周面７１を有する延長部７と、該延長部７の先端周縁から上方に延設され、延長部７の斜面周面７１になめらかに連続する立ち上がり周面８１を有する縁部８と、から形成されている。【選択図】  図１
2006211918.tif 000002
【特許請求の範囲】
【請求項１】
皿状の収容空間を有する本体部と、本体部の上端周縁から外方に延設された少なくとも１個の段部と、から構成され、段部が外周縁に縁部を有することを特徴とする猫用食器。
【請求項２】
前記周壁の外方に位置して環状支持脚が垂設されていることを特徴とする請求項１記載の猫用食器。
【請求項３】
前記環状支持脚に切欠部が形成されていることを特徴とする請求項２記載の猫用食器。
【請求項４】
前記環状支持脚の下面に設定間隔をおいて滑り止めが設けられていることを特徴とする請求項２または３記載の猫用食器。
【発明の詳細な説明】
【技術分野】
【０００１】
この発明は、猫用食器に関するものである。
【背景技術】
【０００２】
一般に、猫に餌を与える場合、猫用のドライフードあるいはウエットフードを市販のペット用食器、例えば、皿状あるいは鉢状の食器に入れることで行っている。
【発明の開示】
【発明が解決しようとする課題】
【０００３】
ところで、猫が餌を食べる動作を観察すると、餌を口や舌を使ってくわえた後、口の奥に餌を送るために頭を上下に振って飲み込むようにしている。また、舌の先から奥に向かって生えているザラザラとしたとげで餌を引っ掛けて、あるいは、餌を舐め取って口の奥に運んでいる。こうした猫特有の食べ方と、猫の頭の大きさから、猫の吻の長さを超える深い円筒形や円錐形の食器では、その底部周辺の餌を食べるとき、猫の鼻先や目、頭が食器の周壁に当たるため、頭を横にしなければ食べられない。食べづらいと、餌を食器の外に持ち出して食べることになり、周囲を汚すことになる。
【０００４】
一方、食器の周壁に頭が当たらないような浅い食器では、餌を舌で舐め取るときや、口にくわえたときに餌を押していくので食器の外に餌がこぼれやすく周囲を汚すことになる。
【０００５】
本発明は、このような問題点に鑑みてなされたもので、猫特有の餌の食べ方に際しても、周囲に餌をこぼすことなく容易に餌を食べることができる猫用食器を提供するものである。
【課題を解決するための手段】
【０００６】
本発明は、皿状の収容空間を有する本体部と、本体部の上端周縁から外方に延設され、外周縁に縁部を有する少なくとも１個の段部と、を具備することを特徴とするものである。
【０００７】
本発明によれば、猫が食器の餌を食べるとき、頭を上下に振って飲み込むための頭を動かす空間を段部の上方に確保できるとともに、鼻先や目、頭などを内面に接触させることがない。しかも、本体部の内周面に沿って舌で餌をすくい上げた際、段部に吻を待機させることにより、該吻との間で挟むようにして食べることができ、周囲に餌をこぼすこともない。
【０００８】
本発明において、前記周壁の外方に位置して環状支持脚が垂設されていると、食器を安定して支持することができる。
【０００９】
本発明において、前記環状支持脚に切欠部が形成されていると、切欠部を通して指先を本体部裏面側に差し込むことができ、持ち運びが容易となる。
【００１０】
本発明において、前記環状支持脚の下面に設定間隔をおいて滑り止めが設けられていると、餌を食べているときも容易に移動することがない。
【００１１】
ここで、食器の大きさは、一般的な成猫の大きさおよびその１日当たりの餌の摂取量に基づいて設計されている。例えば、成猫の大きさとしては、比較的一般的といえるアメリカンショートヘアでは、頭の大きさは、長さ９ｃｍ前後、高さ５ｃｍ前後、幅６ｃｍ前後であり、吻の大きさは、長さが２．５ｃｍ前後、幅３ｃｍ前後、厚み３ｃｍ前後である。また、成猫の１日当たりの餌の摂取量としては、ドライフードで１カップから１／２カップ、ウエットフードで猫缶１個（約９０ｇ）である。
【００１２】
本発明において、食器の材質としては、陶器や磁器の他、プラスチックなどの非金属材料、アルミニウムやステンレスなどの金属材料を用いることができる。
【００１３】
また、食器の形状としては、円形の他、楕円形など、任意の形状を採用することができる。
【発明の効果】
【００１４】
本発明によれば、猫特有の餌の食べ方に際しても、周囲に餌をこぼすことなく容易に餌を食べることができる。
【発明を実施するための最良の形態】
【００１５】
以下、本発明の実施の形態を図面に基づいて説明する。
【００１６】
図１乃至図５には、本発明の猫用食器１の一実施形態が示されている。
【００１７】
この食器１は、陶器製であって、皿状の収容空間を形成した本体部２と、本体部２の上端周縁に延設された段部３と、段部３の裏面から下方に垂設された環状支持脚４と、から構成され、ウエットフードに対応して形成されている。
【００１８】
そして、本体部２は、底壁５および該底壁５の先端周縁から上方に延設された周壁６からなり、底壁５は、水平な底面５１を有し、また、周壁６は、底壁５の底面５１と鈍角をなして底壁５の底面５１になめらかに連続する平坦な傾斜周面６１を有している。
【００１９】
また、段部３は、本体部２における周壁６の上端周縁から外方に延設された延長部７および該延長部７の先端周縁から上方に延設された縁部８からなり、延長部７は、底壁５の底面５１に対して、底壁５の底面５１および周壁６の傾斜周面６１のなす角度よりも大きな鈍角をなして周壁６の傾斜周面６１になめらかに連続する平坦な傾斜周面７１を有し、また、縁部８は、底壁５の底面５１に対して、底壁５の底面５１および周壁６の傾斜周面６１のなす角度よりも小さな鈍角をなして延長部７の斜面周面７１になめらかに連続する立ち上がり周面８１を有している。
【００２０】
また、環状支持脚４には、正面から見て弓形状の切欠部４ａが形成されている他、その下面には、周方向に間隔をおいてゴムなどからなる複数個の滑り止め４１が設けられている。
【００２１】
ここで、容器１は、外径が約１５ｃｍ、高さが約３ｃｍに設定されるとともに、本体部２の底壁５および周壁６によって形成される皿状の収容空間の容積が、約１／２カップに設定されている。
【００２２】
次に、このように構成された食器１を利用して給餌する場合を説明する。
【００２３】
まず、食器１を構成する本体部２にウエットフードを入れ、猫の前に差し出す。この際、環状支持脚４の切欠部４ａを通して底壁５の裏面側に指先を差し入れるとともに、親指を表面側に添わせることにより、食器１を挟み込んで容易に持ち運びすることができる。      
【００２４】
猫Ｃが食器１の餌を食べるとき、頭を上下に振って飲み込む猫特有の食べ方にも、段部３の上方に頭を動かす空間を確保することができ、その際、鼻先や目、頭などを食器１の内面に接触させることがない。しかも、図６に示すように、周壁６の傾斜周面６１に沿って舌で餌をすくい上げた際、段部３における延長部７の傾斜周面７１の上方に吻を待機させることにより、該吻との間で挟むようにして食べることができるとともに、縁部８によって周囲に餌をこぼすこともない。
【００２５】
また、本体部２における底壁５の底面５１および周壁６の傾斜周面６１はなめらかに連続するとともに、段部３における延長部７の傾斜周面７１および縁部８の立ち上がり周面８１はなめらかに連続するため、ウエットフードの食べ残しが少なくなる他、容易に洗浄することができ、洗い残しもない。
【００２６】
さらに、食器１は、食べている最中にも、環状支持脚４によって安定して支持されるとともに、滑り止め４１によって移動することもない。
【００２７】
図７には、本発明の猫用食器１の他の実施形態が示されてり、この食器１も、陶器製であって、皿状の収容空間を形成した本体部２と、本体部２の上端周縁に延設された段部３と、段部３の裏面から下方に垂設された環状支持脚４と、から構成され、ドライフードに対応して形成されている。
【００２８】
そして、本体部２は、水平な底面５１を有する底壁５と、該底壁５の先端周縁から上方に延設され、底壁５の底面５１と鈍角をなして底壁５の底面５１になめらかに連続する平坦な傾斜周面６１を有する周壁６と、から形成されている。
【００２９】
また、段部３は、本体部２における周壁６の上端周縁から外方に延設され、底壁５の底面５１に対して、底壁５の底面５１および周壁６の傾斜周面６１のなす角度よりも大きな鈍角をなして周壁６の傾斜周面６１になめらかに連続する平坦な傾斜周面７１を有する延長部７と、該延長部７の先端周縁から上方に延設され、底壁５の底面５１に対して、底壁５の底面５１および周壁６の傾斜周面６１のなす角度よりも小さな鈍角をなして延長部７の斜面周面７１になめらかに連続する立ち上がり周面８１を有する縁部８と、から形成されている。
【００３０】
ただし、段部３における延長部７の傾斜周面７１は、ドライフードが容易に落下するように、前述したウエットフードの食器１の場合よりも、大きな傾斜角に立ち上げられている。
【００３１】
また、環状支持脚４は、詳細には図示しないが、弓形状の切欠部４ａが形成されている他、その下面には、周方向に間隔をおいてゴムなどからなる複数個の滑り止め４１が設けられている。
【００３２】
ここで、容器１は、外径が約１６ｃｍ、高さが約４ｃｍに設定されるとともに、本体部２の底壁５および周壁６によって形成される皿状の収容空間の容積が、約１カップに設定されている。
【００３３】
このように構成された食器１を利用して給餌する場合においても、食器１を構成する本体部２にドライフードを入れ、猫の前に差し出せばよい。
【００３４】
この場合も、猫が食器１の餌を食べるとき、頭を上下に振って飲み込む猫特有の食べ方にも、段部３の上方に頭を動かす空間を確保することができ、その際、鼻先や目、頭などを食器１の内面に接触させることがない。しかも、周壁６の傾斜周面６１に沿って舌で餌をすくい上げた際、段部３における延長部７の傾斜周面７１の上方に吻を待機させることにより、該吻との間で挟むようにして食べることができるとともに、延長部７の傾斜周面７１に持ち上げられても、舌による押さえがなくなれば、傾斜周面７１に沿って滑落する他、縁部８によって周囲に餌をこぼすこともない。
【００３５】
また、本体部２における底壁５の底面５１および周壁６の傾斜周面６１はなめらかに連続するとともに、段部３における延長部７の傾斜周面７１および縁部８の立ち上がり周面８１はなめらかに連続するため、ドライフードの食べ残しが少なくなる他、容易に洗浄することができ、洗い残しもない。
【００３６】
さらに、食器１は、食べている最中にも、環状支持脚４によって安定して支持されるとともに、滑り止め４１によって移動することもない。
【００３７】
なお、前述した実施形態においては、底壁５の底面に、周壁６の平坦な傾斜周面６１、延長部７の平坦な傾斜周面７１および縁部８の平坦な立ち上がり周面８１の順になめらかに連続するように内周面形状を形成した場合を例示したが、図８に示すように、縁部８の立ち上がり周面８１を内方に立ち上げるようにしてもよい。
【００３８】
また、図９に示すように、１個の段部３に限らず２個以上の段部３を形成してもよい。
【００３９】
さらに、図１０に示すように、底壁および周壁一体の湾曲した本体部２に形成してもよく、また、延長部および縁部一体の湾曲した段部３に形成してもよい。
【図面の簡単な説明】
【００４０】
【図１】本発明の猫用食器の一実施形態を示す斜視図である。
【図２】図１の猫用食器の平面図である。
【図３】図１の猫用食器の底面図である。
【図４】図２のＡ−Ａ線断面図である。
【図５】図２のＢ−Ｂ線断面図である。
【図６】猫による餌の食べる状態を説明する要部断面図である。
【図７】本発明の猫用食器の他の実施形態を示す断面図である。
【図８】本発明の猫用食器の変形例を示す断面図である。
【図９】本発明の猫用食器の他の変形例を示す断面図である。
【図１０】本発明の猫用食器のもう一つの変形例を示す断面図である。
【符号の説明】
【００４１】
１  食器
２  本体部
３  段部
４  環状支持脚
４ａ  切欠部
４１  滑り止め
５  底壁
５１  底面
６  周壁
６１  傾斜周面
７  延長部
７１  傾斜周面
８  縁部
８１  立ち上がり周面
【図１】
2006211918.tif 000003
【図２】
2006211918.tif 000004
【図３】
2006211918.tif 000005
【図４】
2006211918.tif 000006
【図５】
2006211918.tif 000007
【図６】
2006211918.tif 000008
【図７】
2006211918.tif 000009
【図８】
2006211918.tif 000010
【図９】
2006211918.tif 000011
【図１０】
2006211918.tif 000012